(57)【要約】【課題】  直ちに自立可能であり商品などの一定以上の重量物を載置可能であるとともに、運搬・保管のために必要なスペースが少なく、また梱包が簡易な表示具を提供すること。【解決手段】前面板１６、背面板５４、左側面板１２および右側面板１８を備え、拡開した状態において縦長の矩形筒状に形成されるとともに、折り畳み可能な筒状表示体１０を備えた表示具１において、筒状表示体１０の内部に取り付けられ、筒状表示体１０を拡開状態とするように弾性部材３１により付勢可能な伸縮構造体３０と、筒状表示体１０の上部開口部２１内に嵌め込み可能であるとともに、伸縮構造体３０の上端に載置可能な展示台板７０とを備え、伸縮構造体３０は、筒状表示体１０の内部において、開口部を上下に向けて取り付けられるとともに、その下端を、筒状表示体１０の下端と同じ位置となる長さに設けた。【選択図】 図１
2015102847.tif 000002
【特許請求の範囲】
【請求項１】
前面板、背面板および前記前面板と前記背面板の両側端に連設される左側面板および右側面板を備え、拡開した状態において平面視矩形かつ縦長の矩形筒状に形成されるとともに、折り畳み可能な筒状表示体を備えた表示具であって、
前記筒状表示体の内部に取り付けられ、前記筒状表示体を拡開状態とするように弾性部材により付勢可能な伸縮構造体と、
前記筒状表示体の上部開口部内に嵌め込み可能であるとともに、前記伸縮構造体の上端に載置可能な展示台板とが備えられ、
前記伸縮構造体は、前記筒状表示体の内部において、開口部を上下に向けて取り付けられるとともに、その下端は、前記表示具の上下方向において、前記筒状表示体の下端と同じ位置となる長さに設けられたことを特徴とする表示具。
【請求項２】
前記背面板に連設されるとともに、折り畳まれた状態の前記筒状表示体を被覆可能な被覆板が備えられたことを特徴とする請求項１に記載の表示具。
【請求項３】
前記被覆板が、前記背面板の左右の側端にそれぞれ連設された左被覆板と右被覆板から構成されることを特徴とする請求項１または請求項２に記載の表示具。
【請求項４】
前記背面板の上端および下端には、前記筒状表示体の折り畳み時において、前記筒状表示体の上部および下部を被覆可能な上部蓋部および下部蓋部がそれぞれ備えられたことを特徴とする請求項１から請求項３のいずれかに記載の表示具。
【請求項５】
前記筒状表示体は、前記左側面板および前記右側面板の中央縦方向に折曲線が設けられ、前記折曲線に沿って内側に屈曲可能とされることにより折り畳み可能とされたことを特徴とする請求項１から請求項４のいずれかに記載の表示具。
【請求項６】
前記展示台板は、前記筒状表示体とは独立して別体に設けられたことを特徴とする請求項１から請求項５のいずれかに記載の表示具。
【請求項７】
前記展示台板は、前記背面板の上端に連設されたことを特徴とする請求項１から請求項５のいずれかに記載の表示具。
【発明の詳細な説明】
【技術分野】
【０００１】
本発明は、店頭、展示場等おいて、商品の宣伝等のため、商品などの情報を掲載するとともに、商品等を載置することが可能な厚紙製又は段ボール製の筒状の表示具に関するものである。
【背景技術】
【０００２】
従来、店頭、展示場等おいて、商品の宣伝等のため、商品などの情報を掲載した厚紙製又は段ボール製の筒状の表示具が用いられている。このような筒状の表示具は、筒状に立体的に形成されることにより、筒状に拡開した状態で自立が可能であり、前述した商品などの情報を顧客の目に付き易くするというメリットがある。
【０００３】
このような表示具において、筒状に拡開された状態の表示具に商品自体を載置してディスプレイするものも知られている（特許文献１参照）。このような表示具は、自立した状態の表示具の上部に商品（例えば化粧品）自体を載置するものである。表示具の外周面などに商品の情報などを掲載・図示などするとともに、商品そのものを展示することにより、顧客に実際に商品を手にしてもらったり、そのまま販売台として使用できるメリットがある。
【先行技術文献】
【特許文献】
【０００４】
【特許文献１】特開２００４−３１５００４号公報
【発明の概要】
【発明が解決しようとする課題】
【０００５】
しかしながら、前述した従来の表示具では、自立可能な構造とするため拡開した状態では体積が大きく、設置場所までそのまま運搬などするには運搬効率が悪く、また保管の際にも同様の支障を来す。
【０００６】
また、複数の板状の部材が連設されているため、組み立て前の状態においても運搬に問題があるような形状の１枚のシート状としかならない。さらに、このような状態で運搬をしたとしても、直ちに表示具を使用することができず、糊付けや各部の多数の組み立て工程が必要となってしまう。
【０００７】
通常、表示具の設置場所においては多数の表示具を一度に陳列するのではなく、１個またはごく少数の個数の表示具のみを陳列するため、いずれの形態においても従来の表示具では効率よく運搬をおこなうことができない。
【０００８】
一方で、商品自体を表示具に載置してディスプレイしようとすると、商品の重量が嵩む場合には商品を支持するための強度を確保する必要があり、表示具の構造が複雑になる。このように複雑な構造が要求されるために、前述したように自立可能でありながら運搬が容易とすることが困難であった。
【０００９】
そこで、本発明は前述した従来の表示具の問題を解決しようとするものであり、直ちに組み立ておよび自立可能であり商品などの一定以上の重量物を載置可能であるとともに、運搬・保管のために必要なスペースが少なく、また梱包が簡易で製造コストを低減することができる表示具を提供することを目的とする。また、
【課題を解決するための手段】
【００１０】
上記目的を達成するものは、以下のものである。
（１）前面板、背面板および前記前面板と前記背面板の両側端に連設される左側面板および右側面板を備え、拡開した状態において平面視矩形かつ縦長の矩形筒状に形成されるとともに、折り畳み可能な筒状表示体を備えた表示具であって、
前記筒状表示体の内部に取り付けられ、前記筒状表示体を拡開状態とするように弾性部材により付勢可能な伸縮構造体と、
前記筒状表示体の上部開口部内に嵌め込み可能であるとともに、前記伸縮構造体の上端に載置可能な展示台板とが備えられ、
前記伸縮構造体は、前記筒状表示体の内部において、開口部を上下に向けて取り付けられるとともに、その下端は、前記表示具の上下方向において、前記筒状表示体の下端と同じ位置となる長さに設けられたことを特徴とする表示具。
【００１１】
（２）前記背面板に連設されるとともに、折り畳まれた状態の前記筒状表示体を被覆可能な被覆板が備えられたことを特徴とする（１）に記載の表示具。
（３）前記被覆板が、前記背面板の左右の側端にそれぞれ連設された左被覆板と右被覆板から構成されることを特徴とする（１）または（２）に記載の表示具。
【００１２】
（４）前記背面板の上端および下端には、前記筒状表示体の折り畳み時において、前記筒状表示体の上部および下部を被覆可能な上部蓋部および下部蓋部がそれぞれ備えられたことを特徴とする（１）から（３）のいずれかに記載の表示具。
【００１３】
（５）前記筒状表示体は、前記左側面板および前記右側面板の中央縦方向に折曲線が設けられ、前記折曲線に沿って内側に屈曲可能とされることにより折り畳み可能とされたことを特徴とする（１）から（４）のいずれかに記載の表示具。
【００１４】
（６）前記展示台板は、前記筒状表示体とは独立して別体に設けられたことを特徴とする（１）から（５）のいずれかに記載の表示具。
（７）前記展示台板は、前記背面板の上端に連設されたことを特徴とする（１）から（５）のいずれかに記載の表示具。
【発明の効果】
【００１５】
本発明に記載の表示具は、前述したように、前面板、背面板および前記前面板と前記背面板の両側端に連設される左側面板および右側面板を備え、拡開した状態において平面視矩形かつ縦長の矩形筒状に形成されるとともに、折り畳み可能な筒状表示体を備えた表示具であって、前記筒状表示体の内部に取り付けられ、前記筒状表示体を拡開状態となるように弾性部材により付勢可能な伸縮構造体と、前記筒状表示体の上部開口部内に嵌め込み可能であるとともに、前記伸縮構造体の上端に載置可能な展示台板とが備えられ、前記伸縮構造体は、前記筒状表示体の内部において、開口部を上下に向けて取り付けられるとともに、その下端は、前記表示具の上下方向において、前記筒状表示体の下端と同じ位置となる長さに設けられているので、展示台板は、下端が床面にまで接地可能な伸縮構造体によって支持されているので、多少重量が嵩む商品などであっても、他の補強の必要無く載置可能である。伸縮構造体は上下方向にその開口部を向けた筒状に形成されているので、上方からの応力によって容易には座屈しない十分な強度を有するので、商品の陳列に有効である。そして、伸縮構造体により迅速に組み立て・自立が可能である一方、弾性部材の付勢力に抗して伸縮構造体を押圧して折り畳むことにより、厚みを薄くしてコンパクトに収めることができ、簡便に運搬・保管をおこなうことができ、従来の表示具と比較して極めて省スペースで運搬・保管が可能である。そしてまた、運搬・保管のための外装材などを必要とせず、予め取り付けられている前面板、背面板および前面板と背面板の両側端に連設される左側面板および右側面板により外部を覆うことができるので、簡便・迅速に梱包ができ、運搬・保管も含めた製造コストおよび運搬・保管コストを低減することができる。また、このような前面板、左側面板および右側面板は、表示具そのものに連設されているので、表示具を組み立てる際に、不要となった外装材を保管しておく場所を必要としない。よって、表示具を設置する場所の周辺に外装材を保管するようなスペースが少ない場合であっても外装材の一時的な処理に困ることが無い。
【図面の簡単な説明】
【００１６】
【図１】本発明の実施例の表示具の斜視図である。
【図２】本発明の実施例の表示具の筒状表示体および展示台板を展開した状態の平面図である。
【図３】本発明の実施例の表示具の伸縮構造体の拡開し立体的形状とした平面図である。
【図４】本発明の実施例の表示具の伸縮構造体の拡開し立体的形状とした斜視図である。
【図５】本発明の実施例の表示具を折り畳む際の状態の斜視図である。
【図６】本発明の第二の実施例の斜視図である。
【図７】本発明の第二の実施例の表示具を折り畳む際の状態の斜視図である。
【図８】本発明の第三の実施例の斜視図である。
【図９】本発明の第三の実施例の底面側から見た斜視図である。
【図１０】本発明の第三の実施例の表示具を折り畳む際の状態の斜視図である。
【発明を実施するための形態】
【００１７】
以下、本発明の表示具について、図面に示した実施例を用いて説明する。
本発明に係る表示具１ａは、図１に示すように、上下の開口部が矩形状とされた矩形筒状の筒状表示体１０と、筒状表示体１０の内側に取り付けられた伸縮構造体３０と、筒状表示体１０の背面寄りから左右にそれぞれ延設された矩形状の被覆板５２、５６を備えた背面部材５０と、筒状表示体１０の上部開口部２１内に嵌め込まれる展示台板７０ａから構成されている。表示具１ａを構成するこれらの各部材は、本例では段ボールを用いているが、厚紙で構成することも可能である。
【００１８】
筒状表示体１０のうち、筒状表示体の本体１１は、図１および図２にも示すように、左側糊代部１２、左側面板１４、前面板１６、右側面板１８、右側糊代部２０から構成される。後述するように、この本体１１が背面部材５０の背面板５４に張り付けられて、本体１１の左側糊代部１２、左側面板１４、前面板１６、右側面板１８、右側糊代部２０と、背面板５４とにより、前述した筒状表示体１０が構成されている。
【００１９】
本体１１は、図２に示すように、横長の長方形状に近い１枚の段ボールからなり、左側糊代部１２、左側面板１４、前面板１６、右側面板１８、右側糊代部２０から構成されている。これらの各部位のうち、左側面板１４および右側面板１８のそれぞれの上端１４ｃ、上端１８ｃは、前面板１６に近づくにつれて低くなるように斜めに形成されており、この上端１４ｃおよび上端１８ｃが前面板１６の上端１６ａに連設されている。このように前面板１６の上端１６ａを低くすることにより、後述するように、前面板１６の上端１６ａの奥側に載置される商品を見え易くするように構成されている。
【００２０】
また、左側面板１４は、中央縦方向の折曲線ｂよりも前面側の前面左側面板部１４ａと折曲線ｂよりも背面側の背面左側面板部１４ｂとから構成されている。また、右側面板１８も同様に、中央縦方向の折曲線ｅよりも前面側の前面左側面板部１８ａと折曲線ｅよりも背面側の背面左側面板部１８ｂとから構成されている。そして、本体１１は、折曲線ａ〜ｆを介して順に、左側糊代部１２、背面左側面板部１４ｂ、前面左側面板部１４ａ、前面板１６、前面右側面板部１８ａ、背面右側面板部１８ｂ、右側糊代部２０が連設されて構成されている。
【００２１】
図１および図３に示すように、伸縮構造体３０は、その内部にゴム輪又はゴム紐からなる弾性部材３１を備えて筒状表示体１０の内側に貼り付けられており、折り畳まれた状態の表示具１ａについて筒状表示体１０を拡げて立体的形状とし、表示具１ａが自立可能となるようにするための部材である。図３に示すように、一方の脚部板部３２（図３において左側）の前部脚部板部３２ａ、第１の平板部３３、他方の脚部板部３４（図３において右側）の前部脚部板部３４ａ、脚部板部３４の後部脚部板部３４ｂ、第２の平板部３５、脚部板部３２の後部脚部板部３２ｂ、及び、接続片３６が順に連設され、折曲線ｐに沿って、脚部板部３２の前部脚部板部３２ａと第１の平板部３３との連設部を折り曲げ、折曲線ｑに沿って、第１の平板部３３と他方の脚部板部３４の前部脚部板部３４ａとの連設部を折り曲げ、折曲線ｒに沿って、脚部板部３４の中央部を縦方向に折り曲げ、脚部板部３４ａと後部脚部板部３４ｂがくの字形に折り曲げられ、折曲線ｓに沿って、脚部板部３４の後部脚部板部３４ｂと第２の平板部３５との連設部を折り曲げ、折曲線ｔに沿って、第２の平板部３５と脚部板部３２の後部脚部板部３２ｂとの連設部を折り曲げ、全体を６角形の形に順に折り曲げ、その後、折曲線ｕに沿って、一方の脚部板部３２の後部脚部板部３２ｂと接続片３６との連設部を折り曲げ、接続片３６が前部脚部板部３２ａの内側に入るように折り曲げ、接続片３６を前部脚部板部３２ａの内側に接着し、６角形の筒状体３８としたものである。
【００２２】
そして、一方の脚部板部３２は接続片３６により後部脚部板部３２ｂと前部脚部板部３２ａが接着されて構成され、他方の脚部板部３４は、その中央部に設けた折曲線ｒに沿って折り曲げることにより前部脚部板部３４ａと後部脚部板部３４ｂが構成されている。
【００２３】
筒状体３８を構成する２つの脚部板部は、図３において左側に位置する一方の脚部板部３２が、折曲線ｕに沿って、前部脚部板部３２ａと後部脚部板部３２ｂが「くの字」形に屈曲し、かつ２つに折り畳むことができる屈曲部Ｘを備え、また、一方の脚部板部３２と向かい合う位置にある図３において右側に位置する他方の脚部板部３４も、折曲線ｒに沿って「くの字」形に屈曲し、かつ２つに折り畳むことができる屈曲部Ｙを備えている。
【００２４】
また、第１の平板部３３は、一方の脚部板部３２の前部脚部板部３２ａの一側端と他方の脚部板部３４の前部脚部板部３４ａの一側端に連接され、また、第２の平板部３５は、一方の脚部板部３２の後部脚部板部３２ｂの一側端と他方の脚部板部３４の後部脚部板部３４ｂの一側端に連接され、第１の平板部３３と第２の平板部３５は、対向した位置にあり、同じ形状・同じ大きさである。そして、第１の平板部３３を前面板１６に、第２の平板部３５背面板５４に、それぞれ固定して使用する。
【００２５】
筒状体３８内には、別体として設けた調整板４０が備えられている。調整板４０は、縦長の長方形に形成されており、図４に示すように左右の両側端部４０ａ、４０ｂ付近の上下に、ゴム輪又はゴム紐からなる弾性部材３１を挿通する貫通孔４３ａ，４３ｂと貫通孔４４ａ，４４ｂが設けられ、この貫通孔４３ａ，４３ｂ、４４ａ，４４ｂは、筒状体３８に設けられた挿通孔４５ａ，４５ｂ、４６ａ，４６ｂに対応して設けられ、貫通孔４３、４４を挿通した弾性部材３１の両端がそれぞれ挿通孔４５ａ，４５ｂ、４６ａ，４６ｂに無理なく挿通できるようになっている。また、挿通孔４５ａ，４５ｂ、４６ａ，４６ｂに、弾性部材３１の両端が挿通され、脚部板部３２及び脚部板部３４のそれぞれの外側に設けた係止部材４８、４８を用いて取り付けられている。
【００２６】
図３、図４に示す調整板４０は、両側端部４０ａ、４０ｂ付近の上部となる位置に貫通孔４３ａと貫通孔４３ｂが設けられ、両側端部４０ａ、４０ｂ付近の下部となる位置には貫通孔４４ａと貫通孔４４ｂが設けられている。調整板４０は、向かい合って設けた２つの脚部板部３２及び脚部板部３４の間に、弾性部材３１により両側端部を懸架するように保持されているので、調整板４０は、脚部板部３２の屈曲部Ｘと脚部板部３４の屈曲部Ｙとの間にあって弾性部材３１の伸縮に伴って移動し、調整板４０の両側端部４０ａ、４０ｂには、弾性部材３１の付勢力で、脚部板部３２の屈曲部Ｘと脚部板部３４の屈曲部Ｙがそれぞれ接近し、その後当接するように構成されている。これにより、調整板４０が、脚部板部３２の屈曲部Ｘと脚部板部３４の屈曲部Ｙとの間隔を規制することになり、一方の脚部板部３２と他方の脚部板部３４との間隔を所定の間隔に維持することができ、これに伴い第１の平板部３３と第２の平板部３５との離間する距離も所定の間隔に保持されるようになっている。
【００２７】
このように構成された伸縮構造体３０は、弾性部材３１の付勢力によって第一の平板部３３と第二の平板部３５が離間されるように押し拡げられて、図３に示すように、筒状表示体１０の左側面板１４および右側面板１８の幅と同じ間隔にまで、第一の平板部３３と第二の平板部３５の間隔を拡げるように構成されている。そして一方、第一の平板部３３と第二の平板部３５との間隔を狭めるように押圧することにより、弾性部材３１の付勢力に抗して第一の平板部３３と第二の平板部３５の間隔を狭め、最終的には第一の平板部３３と第二の平板部３５とが接するまで伸縮構造体３０を変形することが可能に設けられている。
【００２８】
次に背面部材５０について説明する。背面部材５０は長方形状の１枚の段ボールからなり、折曲線ｇ〜ｊを介して順に、左被覆板５２、左被覆側板５３、背面板５４、右被覆側板５５、右被覆板５６から構成されている。左被覆板５２と右被覆板５６の幅は、合わせて、筒状表示体１０の前面板１６（および背面板５４）とほぼ同じ幅に設けられ、また、背面板５４と同じ高さに設けられ、背面板５４とほぼ同形状に設けられている。このように構成することにより、後述するように、左被覆板５２と右被覆板５６とにより、その内側に前面板１６を完全に覆うようにすることができる。
【００２９】
また、左被覆側板５３と右被覆側板５５は、それぞれ背面板５４と同じ高さに設けられるとともに、折り畳んだ状態の本体１１の厚みよりもやや大きい幅に設けられ、その幅の範囲の中に、後述するように折り畳んだ状態の本体１１を収納可能とするように構成されている。
【００３０】
背面板５４は縦長の長方形状に設けられており、前述した前面板１６と同じ幅で、かつ前面板１６よりもやや縦長に設けられている。背面板５４が前面板１６よりも高く設けられることにより、前面板５４の前方に載置される商品が後方に脱落しないように保護する。
【００３１】
また、背面板５４の上部には横長長方形の上部蓋５８が連設されている。上部蓋５８は、折曲線ｋを介して背面板５４に直接連設された横長長方形の蓋板５８ａと、この蓋板５８ａの先端に折曲線ｌを介して連設された横長長方形の貼付け板５８ｂとから構成されている。また前面板１６の下部には、同様に横長長方形の下部蓋５９が連設されている。下部蓋５８は、折曲線ｍを介して背面板５４に直接連設された横長長方形の蓋板５９ａと、この蓋板５９ａの先端に折曲線ｎを介して連設された横長長方形の貼付け板５９ｂとから構成されている。蓋板５８ａおよび蓋板５９ａの短手方向はいずれもほぼ同じ長さに設けられており、折り畳んだ状態の本体１１の厚みよりもやや大きい長さに設けられ、その長さの範囲の中に、後述するように折り畳んだ状態の本体１１を収納可能に構成されている。また、貼付け板５８ｂ、５９ｂの前面側には、それぞれ両面テープ６０が貼り付けられている。後述するように、本体１１を折り畳み、これを被覆した被覆板５２、５６の表面に、この両面テープ６０を用いて上部蓋５８および下部蓋５９を貼付することにより、被覆板５２、５６を閉じた状態で上部蓋５８および下部蓋５９を固定可能に構成されている。
【００３２】
図１に示すように、筒状表示体１０の上部開口部２１内には、展示台板７０ａがはめ込まれる。展示台板７０ａは、筒状表示体１０とは独立した別体に設けられている。展示台板７０ａは筒状表示体１０が完全に拡開された状態の上部開口部２１内とほぼ同形状の長方形に形成された載置用板７２ａと、載置用板７２ａの後端の折曲線ｏを介して連設された立設板７４ａから構成されている。
【００３３】
載置用板７２ａは上部開口部２１内に、伸縮構造体３０の上端面に接する位置（図１における点線の位置）にまで嵌めこまれており、伸縮構造体３０の上端面により支持可能に構成されている。また、載置用板７２ａの先端には、両面テープ６０が取り付けられた固定用片７３が突設されており、上部開口部２１内に嵌めこんだ後に、この固定用片７３を前面板１６の裏側に貼り付けることにより、載置用板７２ａが筒状表示体１０の本体１１に確実に固定されるように構成されている。このようにして、伸縮構造体３０により支持されて、載置用板７２ａの上面に商品などを展示・載置することが可能である。
【００３４】
また、載置用板７２ａに連設された立設板７４ａは、筒状表示体１０の上部開口部２１内に嵌めこまれた際には背面板５４により後方を支持されて、背面板５４の前方に自立可能に設けられている。そして、商品の購入者の目に付き易い、載置される商品の後方に位置することになる立設板７４ａを広告表示部などとして利用することができる。
【００３５】
このように構成された表示具１ａの使用方法および作用効果は次のとおりである。商品などを陳列可能な広告表示として使用していない場合、すなわち、広告表示場所まで表示具１ａを運搬する場合や、運搬前に保管している場合などには、表示具１ａを折り畳んだ状態とする。表示具１ａを折り畳むには、次のような手順をとる。最初に、展示台板７０ａを筒状表示体１０から取り外した状態としておく。ついで、筒状表示体１０の本体１１を折り畳む。本例の表示具１ａでは、伸縮構造体３０を取り付けているので、力を加えなければ、伸縮構造体３０の弾性部材３１の付勢力により表示具１ａは筒状表示体１０が拡開して立体的な形状となっている。よって、本体１１を折り畳む際には、伸縮構造体３０を弾性部材３１の付勢力に抗して伸縮構造体３０を折り畳む。具体的には、図３に二点鎖線で示す通り第一の平板部３３が第二の平板部３５に近づくように、すなわち図１に示すように、本体１１の第一の平板部３３が取り付けられた前面板１６と第二の平板部３５が取り付けられた背面板５４とが近接するように折り畳む。左側面板１４と右側面板１８とは、本体１１の内側方向に折れ曲がるように折曲線ｂ、ｅが予め形成されており、左側面板１４と右側面板１８は、本体１１の内側に折り畳まれる。
【００３６】
図５に示すように、このように本体１１を折り畳んだ状態で、表示具１ａの背面側に折り畳んでいた左被覆板５２と右被覆板５６とを表示具１ａの正面側に向けて折り曲げて、前面板１６を覆うようにしてその状態で保持する。また、この時に左被覆板５２および右被覆板５４と前面板１６との間の隙間に、取り外した展示台板７０ａを収納しておく。そして次に、表示具１ａの背面側に折り畳んでいた背面板５４の上部蓋部５８と下部蓋部５９とを表示具１ａの正面側に向けて折り曲げて、前面板１６の上部および下部をそれぞれ覆うように折り畳む。前述したように、上部蓋部５８の先端の貼付け板５８ｂと下部蓋部５９の先端の貼付け板５９ｂとには、予め両面テープ６０が貼り付けられているので、この両面テープ６０を左被覆板５２と右被覆板５６とに貼り付けて固定して、左被覆板５２、右被覆板５６、上部蓋部５８、下部蓋部５９および背面板５４により、筒状表示体１０の本体１１および展示台板７０ａを内部に収納する。なお、この際に、左被覆板５２と右被覆板５６との接合部を別途テープなどで固定すると、表示具１をより堅固に固定することができる。このようにして、表示具１ａは薄い矩形状の段ボール箱状のものとして、その内部に筒状表示体１０をそのまま収納可能とされ、この状態で運搬・保管などをおこなうことができる。したがって、従来の表示具と比較して極めて省スペースで運搬・保管が可能である。また、別途外装材などを要することなく運搬・保管が可能なので、運搬・保管も含めた製造コストおよび運搬・保管コストを低減することができる。
【００３７】
なお、両面テープ６０の代わりにマジックファスナー（登録商標）など繰り返し貼付けが可能な貼り付け具を用いることにより、折り畳み状態で保管・運搬し、拡開して広告表示具として用いることを繰り返すことができる。
【００３８】
また、図１に示すように、広告表示のために用いる場合には、表示具１ａの筒状表示体１０を拡開して筒状に形成し、自立可能に設けられる。前述したように、伸縮構造体３０の弾性部材３１により伸縮構造体３０が拡開されて、第一の平板部３３と第二の平板部３５が離間するように押し拡げられることにより、前面板１６と背面板５４とが伸縮構造体３０拡開に伴い押し拡げられて、筒状表示体１０の上部開口部２１が長方形となるまで拡開される。この態様によって、表示具１ａは自立可能な形状に変形されている。よって、表示具１ａとして組み立てる作業を極めて簡便・迅速におこなうことができる。この状態で、筒状表示体１０の上部開口部２１内に展示台板７０ａの載置用板７２ａを上部開口部２１内に嵌めこみ、後方に立設される立設板５４の前方の載置用板７２ａ上に、商品自体や販促品を載置して宣伝広告を行うことができる。前述の通り、載置用板７２ａは、その下端が床面にまで接地可能な伸縮構造体３０によって支持されている。伸縮構造体３０が直接床面によって支持されるので、多少重量が嵩む商品などであっても、他の補強の必要無く載置用板７２ａに載置可能である。伸縮構造体３０は上下方向にその開口部を向けた筒状に形成されているので、上方からの応力によって容易には座屈しない十分な強度を有するので、商品の陳列に有効である。
【００３９】
また、この際に、左被覆板５２および右被覆板５６は、表示具１ａの背面側に折り畳まれ、テープなどによって仮止めなどをして、表示具１ａの前面からは目視できないようにしておく。上部蓋部５８は立設板５４によって隠されているが、必要であれば同様に、テープなどによって仮止めなどをして、表示具１ａの前面からは目視できないようにしておくと良い。同様に、下部蓋部５９は表示具１ａの背面側に隠されているが、テープなどによって仮止めなどをして、表示具１ａの前面からは目視できないようにしておくと良い。このように、表示具１ａにおいては、運搬・保管時の外装材として用いられる左被覆板５２、右被覆板５６、上部蓋部５８および下部蓋部５９を表示具１ａに取り付けたままで使用することができるので、表示具１ａの設置場所の周辺に、不要となった外装材を保管したり隠して置いておくスペースが少なくても問題が無く、この点においても表示具１ａの利便性を高めることができる。また、立設板７４ａを背面板５４にテープなどによって仮止めをしておくと立設板７４ａがより安定する。
【００４０】
次に、前述した表示具１ａとは別の第二の実施例の表示具１ｂについて説明する。図６に示すように、この表示具１ｂは、前述の表示具１ａのように展示台板７０ａが筒状表示体１０と別体となっておらず、一体となっているものである。なお、以下において前述の表示具１ａと共通する構成については、表示具１ａと同一の符号を図面中に付してその説明を省略する。
【００４１】
表示具１ｂでは背面板５４ｂの上端に、展示台板７０ｂが連設されている。展示台板７０ｂは、背面板５４ｂから連設されるとともに背面板５４ｂの前面に固定された立設板７４ｂと、立設板７４ｂの先端から延設される載置用板７２ｂから構成されている。図７に示すように、展示台板７０ｂは、表示具１ｂを折り畳む際には、載置用板７２ｂを立設板７４ｂに重ねるようにして上方に折り曲げておく。商品を陳列する際には、図６に示したように、立設板７４ｂに連設された載置用板７２ｂをそのまま上部開口部２１内に倒し込むようにして嵌めこんで使用する。この表示具１ｂには前述した表示具１ａのような上部蓋部５８および下部蓋部５９は備えられていない。表示具１ｂを運搬・保管等する場合には、前述のように載置用板７２ｂを上方に折り曲げて、さらに表示具１ａと同様に、前面板１６と背面板５４とを近接させて重ねるようにして筒状表示体１０を折り畳んだ後に、クリップやゴムバンドなどにより折り畳み状態を保持しておく。本表示具１ｂでは展示台板７０ｂが筒状表示体１０と一体に連設されているので、表示具１ａのように、展示台板７０ａを取り外す作業や、取り外した展示台板７０ａの一時的な保管場所が必要となるということはない。
【００４２】
次に、前述した表示具１ａ、１ｂとはさらに別の第三の実施例の表示具１ｃについて説明する。図８に示すように、この表示具１ｃは、前述の表示具１ａ、１ｂとは異なり、展示台板７０ｃは載置用板７２ｃのみから構成されている。そしてこの展示台板７０ｃは筒状表示体１０とは別体に形成されるとともに、筒状表示体１０の上部開口部２１内に嵌めこむことが可能に設けられている。また、図９に示すように、表示具１ｃにおいては、筒状表示体１０の内側に、拡開状態における左奥角および右手前角に位置する部位に１つずつ、計２つの伸縮構造体３０ｂが取り付けられている。本例においては、図８および図９に示すように、表示具１ｃの内側角に取り付けるために、平面視三角形状の態様とした伸縮構造体３０ｂが用いられている。なお、前述した表示具１ａ，１ｂを含めて、使用する伸縮構造体は弾性部材により表示具を自立させる公知の種々の伸縮構造体を用いれば良く、その下端が表示具１ａ，１ｂまたは１ｃの下端と上下方向において同じ位置とされていれば良い。
【００４３】
展示台板７０ｃは、表示具１ｃを折り畳む際には、筒状表示体１０から取り外しておく。図１０に示すように、左側面板１４を前面板１６と同一平面に近づけるようにして、伸縮構造体３０とともに表示具１ｃを押圧して折り畳む。表示具１ｃの拡開状態において、上方から見て対向する一組の角が離間し、残る一組の角が近接するように折り畳まれることになる。一方、図８および図９に示すように、商品などを陳列する際には、載置用板７２ｃをそのまま上部開口部２１内に嵌めこんで使用する。この表示具１ｃについても、前述した表示具１ａのような上部蓋部５８および下部蓋部５９は備えられていない。表示具１ｃを運搬・保管等する場合には、前述のように展示台板７０ｃを取り外し、筒状表示体１０を折り畳んだ後に、展示台板７０ｃとともにクリップやゴムバンドなどにより折り畳み状態を保持しておく。
【産業上の利用可能性】
【００４４】
本発明の表示具は、商品などを陳列しておこなう広告表示に用いる表示具に広く用いることができる。
【符号の説明】
【００４５】
１  表示具
１０  筒状表示体
１１  本体
１２  左側糊代部
１４  左側面板
１４ａ  前面左側面板部
１４ｂ  背面左側面板部
１４ｃ  上端
１６  前面板
１６ａ  上端
１８  右側面板
１８ａ  前面左側面板部
１８ｂ  背面左側面板部
１８ｃ  上端
２０  右側糊代部
２１  上部開口部
３０    伸縮構造体
３１  弾性部材
３２  脚部板部
３２ｂ  後部脚部板部
３２ａ  前部脚部板部
３３  第１の平板部
３４  脚部板部
３４ａ  前部脚部板部
３４ｂ  後部脚部板部
３５  第２の平板部
３６  接続片
３８  筒状体
４０  調整板
４０ａ、４０ｂ  両側端部
４３ａ，４３ｂ  貫通孔
４４ａ，４４ｂ  貫通孔
４５ａ，４５ｂ、４６ａ，４６ｂ  挿通孔
４８  係止部材
５０  背面部材
５２  左被覆板
５３  左被覆側板
５４  背面板
５５  右被覆側板
５６  右被覆板
５８  上部蓋部
５８ａ  蓋板
５８ｂ  貼付け板
５９  下部蓋部
５９ａ  蓋板
５９ｂ  貼付け板
６０  両面テープ
７０ａ、７０ｂ、７０ｃ  展示台板
７２ａ、７２ｂ、７２ｃ  載置用板
７３  固定用片
７４ａ、７４ｂ  立設板
ａ〜ｕ  折曲線
Ｘ，Ｙ  屈曲部
【図１】
2015102847.tif 000003
【図２】
2015102847.tif 000004
【図３】
2015102847.tif 000005
【図４】
2015102847.tif 000006
【図５】
2015102847.tif 000007
【図６】
2015102847.tif 000008
【図７】
2015102847.tif 000009
【図８】
2015102847.tif 000010
【図９】
2015102847.tif 000011
【図１０】
2015102847.tif 000012